(57)【要約】【課題】一度のスキャンで各種データーを読みとって合算価格の表示と同時にコンピュータによる商品のトータル管理を自動的に行うことができる合成樹脂シート製容器を提供する。【解決手段】膨出成形されるべき容器の成形予定箇所にデーター入力可能な記録媒体４をシート素材に付与してなる構成とした合成樹脂シート材Ａ及び合成樹脂シート材Ａから成形された容器Ｂにデーター入力可能な記録媒体４が設けられている構造とした容器。【選択図】        図２
2004250050.tif 000002
【特許請求の範囲】
【請求項１】
膨出成形されるべき容器の成形予定箇所にデーター入力可能な記録媒体（４）をシート素材に付与してなる容器形成用合成樹脂シート材。
【請求項２】
合成樹脂シート材（Ａ）から成形された容器（Ｂ）にデーター入力可能な記録媒体（４）が設けられている合成樹脂シート製容器。
【請求項３】
記録媒体（４）が容器（Ｂ）の一縁部に形成されている請求項２に記載の合成樹脂シート製容器。
【請求項４】
記録媒体（４）が容器（Ｂ）の本体（１）と蓋体（２）とを封緘する封緘テープ（３）に形成されている請求項２に記載の合成樹脂シート製容器。
【請求項５】
記録媒体（４）が容器（Ｂ）に貼られたラベル（５）に形成されている請求項２に記載の合成樹脂シート製容器。
【発明の詳細な説明】
【０００１】
【発明が属する技術分野】
本発明は、合成樹脂シート製容器を形成するために用いる容器形成用合成樹脂シート材と、このシート材を原材料として鶏卵容器のような薄い合成樹脂シートから圧空成形手段や真空成形手段によって膨出成形された容器とに関するもので、殊に、データー入力可能な記録媒体を備えた膨出成形容器に関する。
【０００２】
【従来の技術】
現在、各種商品にはバーコードが貼られていてレジでバーコードをスキャンすることにより購入金額を計算するとともに、データーの一部をコンピュータに入力して商品管理に使用されている。しかしバーコードは線の太さや間隔でデーターを記憶するものであるから記録データー量には限界があり、概ね商品の価格や商品番号等の最小必要限度に押さえられ、その他のデーター、例えば商品並びにこれを梱包する容器の生産者、生産地、生産日、梱包発送日、入荷日、原材料等の品質その他の詳細なデーターを記憶させることができない。しかし多種多量の商品が流通する現在では、個々の商品に必要とする各種データーを入力した記録媒体を付設しておき、レジにおける一度のスキャンで各種データーを読みとって合算価格の表示と同時にコンピュータによる商品のトータル管理を行いたいとする要望が高まっている。
【０００３】
【発明が解決しようとする課題】
そこで本発明は、合成樹脂シート材から成形された容器にデーター入力可能な記録媒体を付設させておいて、必要とする各種データーをこの記録媒体に入力することにより、一度のスキャンで各種データーを読みとって合算価格の表示と同時にコンピュータによる商品のトータル管理を自動的に行うことのできる合成樹脂シート製容器を提供することを主たる目的とするものである。
【０００４】
【課題を解決するための手段】
上記目的を達成する為に本発明では次のような技術的手段を講じた。即ち、本発明に係る容器形成用合成樹脂シート材Ａは、膨出成形されるべき容器の成形予定箇所にデーター入力可能な記録媒体４をシート素材に付与してなる構成としたものである。また、本発明に係る容器は、合成樹脂シート材Ａから成形手段によって膨出成形されたものであって、該容器Ｂに磁気テープ等のようなデーター入力可能な記録媒体４が付設されている構造とした。従って、必要とする各種データーをこの記録媒体４に入力することにより、一度のスキャンで各種データーを読みとって合算価格の表示と同時にコンピュータによる商品のトータル管理を自動的に行うことができる。尚、前記記録媒体４は容器Ｂの一縁部に沿って形成するのが好ましいが、容器Ｂの本体１と蓋体２とを封緘する封緘テープ３に形成してもよく、或いは容器Ｂに貼られたラベル５に形成してもよい。
【０００５】
【発明の実施の形態】
以下本発明の詳細を図１〜図２で示した実施例に基き説明する。図１は本発明に係る容器Ｂを膨出成形するための容器形成用合成樹脂シート材Ａを示すものであって、このシート材Ａに、成形される容器Ｂの一縁の領域に必ず入るようにデーター入力可能な磁気テープ等のような記録媒体４のラインを付設したものである。従ってこの合成樹脂シート材Ａを膨出成形することにより図２で示すように、一縁に記録媒体４を備えた容器Ｂを成形することができる。
【０００６】
この記録媒体４に、例えば容器の出荷時においては、容器の生産者や出荷日、品質、品番、価格等の必要なデーターを入力しておけば、容器メーカーやユーザー側における容器管理が容易となる。また容器に商品を収納し販売する販売会社にあっては、梱包される商品の生産者、生産地、生産日、購入価格や販売価格、商品番号等の必要なデーターを入力することにより、レジでのスキャン時に合算価格の表示と同時にコンピュータによる商品のトータル管理を自動的に行うことが可能となる。
【０００７】
前記記録媒体４は、前記したように容器Ｂの一縁部に沿って形成するのが好ましいが、図３に示すように、容器Ｂの本体１と蓋体２とを封緘する封緘テープ３に形成してもよく、或いは図４に示すように容器Ｂに貼られたラベル５に形成してもよい。また図示は省略するが、バーコードと併用してバーコードの表面に形成することも可能である。
【０００８】
以上本発明の代表的と思われる実施例について説明したが、本発明は必ずしもこれらの実施例構造のみに限定されるものではない。例えば容器Ｂの素材となる合成樹脂シート材Ａは単一シートでも、２層或いは三層の積層シートであってもよい。後者の積層シートの場合、廃品回収された再生シートと新品のバージンシートとを組み合わせることにより資源の再利用を図ることができる。この場合、前記記録媒体４には再生シートの品番を記録させておけば再利用の回数等を管理することができる。また記録媒体４を容器Ｂの一縁に形成する場合、上記実施例で示したように予め素材となる合成樹脂シート材Ａに付設しておくのが好ましいが、容器成形時或いは成形された容器を個々に切断するときに貼着するようにしてもよい。その他本発明ではその構成要件を備え、かつ、本発明にいう目的を達成し、以下にいう効果を有する範囲内において適宜改変して実施することができるものである。
【０００９】
【発明の効果】
以上詳述した如く、本発明にいうところの容器形成用合成樹脂シート材及びこのシート材を用いて形成した容器では、必要とする各種データーを記録媒体に入力することにより、包装物の生産者や生産日、生産手段例えば無農薬生産品である等のデーターを、一度のスキャンで各種データーを同時に読みとって合算価格の表示と同時に、コンピュータによる商品並びに商品の各種データーや商品を収納した容器のトータル管理を自動的に行うことができるといった効果がある。
【図面の簡単な説明】
【図１】本発明に係る容器を成形するための合成樹脂シートを示す一部切欠斜視図。
【図２】本発明に係る容器の一実施例を示す斜視図。
【図３】本発明に係る容器の他の実施例を示す斜視図。
【図４】本発明に係る容器の更に別の実施例を示す斜視図。
【符号の説明】
Ａ  合成樹脂シート
Ｂ  容器
１  容器本体
２  蓋体
３  封緘テープ
４  記録媒体
５  ラベル
【図１】
2004250050.tif 000003
【図２】
2004250050.tif 000004
【図３】
2004250050.tif 000005
【図４】
2004250050.tif 000006